(57)【要約】  様々な態様は、gNBにおいて共通制御リソースセットを構成するための例示的な方法、装置、および/またはコンピュータ可読媒体を提供し、それらは、gNBにおいて、第1のタイプおよび第2のタイプの共通制御リソースセットを構成することと、少なくとも構成に基づいて第1のタイプおよび第2のタイプの共通制御リソースセットをユーザ機器(UE)に示すこととを含んでよい。さらなる態様は、UEにおいて、gNBから第1のタイプおよび第2のタイプの共通制御リソースセットの構成情報を受信することと、UEにおいて、少なくとも構成情報に基づいて第1のタイプおよび第2のタイプの共通制御リソースセットを復号することとを含んでよい。
2020505822.tif 000002
【特許請求の範囲】
【請求項１】
gNBにおいて共通制御リソースセットを構成する方法であって、
前記gNBにおいて、第1のタイプおよび第2のタイプの共通制御リソースセットを構成するステップと、
少なくとも前記構成に基づいて、前記第1のタイプおよび前記第2のタイプの共通制御リソースセットをユーザ機器(UE)に示すステップと
を備える、方法。
【請求項２】
前記第1のタイプの共通制御リソースセットがコミットされた制御リソースであり、前記第2のタイプの共通制御リソースセットが日和見性の共通制御リソースセットである、請求項1に記載の方法。
【請求項３】
前記示すステップが、少なくとも部分的にマスタ情報ブロック(MIB)を介して少なくとも前記コミットされた共通制御リソースセットと、少なくとも部分的にRMSIを介して前記日和見性の共通制御リソースセットとを示すステップを含む、請求項2に記載の方法。
【請求項４】
スロットの第1のサブセットおよびスロットの第2のサブセットが相互排他的である、請求項3に記載の方法。
【請求項５】
前記コミットされた共通制御リソースセットを常に送信するステップと、前記UE向けの制御情報が存在するときのみ前記日和見性の共通制御リソースセットを日和見的に送信するステップとをさらに備える、請求項2に記載の方法。
【請求項６】
前記示すステップが、RMSIを介して少なくとも前記日和見性の共通制御リソースセットを示すステップを含む、請求項2に記載の方法。
【請求項７】
前記コミットされた共通制御リソースセットと前記日和見性の共通制御リソースセットの両方を介して、ランダムアクセスチャネル手順のメッセージ2を送信するステップをさらに備える、請求項2に記載の方法。
【請求項８】
前記第1のタイプおよび前記第2のタイプの前記共通制御リソースセットを示すステップが、時間および周波数において少なくとも部分的に重複するリソースのセットを示すステップをさらに備える、請求項1に記載の方法。
【請求項９】
スロット内の時間および周波数において少なくとも部分的に重複する前記第1のタイプまたは前記第2のタイプの前記共通制御リソースセットのうちの1つを選択するステップと、前記第1のタイプまたは前記第2のタイプの共通制御リソースセットのうちの前記1つのみを使用して、前記スロット内で前記UEに情報を送信するステップとをさらに備える、請求項8に記載の方法。
【請求項１０】
前記第1のタイプの共通制御リソースセットがコミットされた共通制御リソースセットであり、前記gNBにおいて、UE固有の制御リソースセットである制御リソースセットを構成するステップをさらに備える、請求項1に記載の方法。
【請求項１１】
前記コミットされた共通制御リソースセットを常に送信するステップと、前記UE向けの制御情報が存在するときのみ前記UE固有の制御リソースセットを日和見的に送信するステップとをさらに備える、請求項10に記載の方法。
【請求項１２】
前記コミットされた共通制御リソースセットがマスタ情報ブロック(MIB)を介して示され、前記UE固有の制御リソースセットが無線リソース制御(RRC)信号を介して示される、請求項10に記載の方法。
【請求項１３】
前記コミットされた共通制御リソースセットのみを介してランダムアクセスチャネル手順の4ステップメッセージ2を送信するステップ、または前記コミットされた共通制御リソースセットもしくは前記UE固有の制御リソースセットのいずれかを介して前記ランダムアクセスチャネル手順の2ステップメッセージ2を送信するステップをさらに備える、請求項10に記載の方法。
【請求項１４】
ビームフォーミングを使用して送信するステップと、前記ビームフォーミングを使用して送信することに応答して、相連続性が経時的に維持されているかどうかを識別するために、相連続性インジケータを送信するステップとをさらに備える、請求項10に記載の方法。
【請求項１５】
ビームフォーミングを使用して同じスロット内で前記コミットされた共通リソースと前記UE固有の制御リソースセットの両方を送信するステップと、
前記コミットされた共通リソースおよび前記UE固有の制御リソースセットが隣接して位置するときに、前記コミットされた共通リソースと前記UE固有の制御リソースセットの両方にわたって、連続ビームフォーミングが使用されるかどうかを識別するためにビームフォーミング連続性インジケータを送信するステップと
をさらに備える、請求項10に記載の方法。
【請求項１６】
ユーザ機器(UE)において共通制御リソースセットを構成する方法であって、
前記UEにおいて、gNBから第1のタイプおよび第2のタイプの共通制御リソースセットの構成情報を受信するステップと、
前記UEにおいて、少なくとも前記構成情報に基づいて、前記第1のタイプおよび前記第2のタイプの共通制御リソースセットを復号するステップと
を備える、方法。
【請求項１７】
前記第1のタイプの前記共通制御リソースセットがコミットされた制御リソースであり、前記第2のタイプの前記共通制御リソースセットが日和見性の共通制御リソースセットである、請求項16に記載の方法。
【請求項１８】
前記構成情報を受信するステップが、少なくとも部分的にマスタ情報ブロック(MIB)を介して少なくとも前記コミットされた共通制御リソースセット用の構成情報と、少なくとも部分的にRMSIを介して前記日和見性の共通制御リソースセットとを受信するステップを備える、請求項17に記載の方法。
【請求項１９】
スロットの第1のサブセットおよびスロットの第2のサブセットが相互排他的である、請求項18に記載の方法。
【請求項２０】
前記コミットされた共通制御リソースセットを常に復号するステップと、前記UE向けの制御情報が存在することを前記構成情報が示すときのみ前記日和見性の共通制御リソースを日和見的に復号するステップとをさらに備える、請求項17に記載の方法。
【請求項２１】
前記構成情報を受信するステップが、RMSIを介して少なくとも前記日和見性の共通制御リソースセット用の前記構成情報を受信するステップをさらに備える、請求項17に記載の方法。
【請求項２２】
前記コミットされた共通制御リソースセットと前記日和見性の共通制御リソースセットの両方において、ランダムアクセスチャネル手順のメッセージ2を復号するステップをさらに備える、請求項17に記載の方法。
【請求項２３】
前記構成情報が、前記第1のタイプおよび前記第2のタイプの前記共通制御リソースセットが時間および周波数において少なくとも部分的に重複するリソースのセットを備えることを示す、請求項16に記載の方法。
【請求項２４】
前記復号するステップが、前記構成情報に基づいてスロット内で前記第1のタイプまたは前記第2のタイプの前記共通制御リソースセットのうちの1つのみを復号するステップをさらに備える、請求項23に記載の方法。
【請求項２５】
前記第1のタイプの共通制御リソースセットがコミットされた共通制御リソースセットであり、前記第2のタイプの共通制御リソースセットがUE固有の制御リソースセットである、請求項16に記載の方法。
【請求項２６】
前記コミットされた共通制御リソースセットを常に復号するステップと、前記構成情報が前記UE固有の制御リソースセットに対応する認可を示すことに応答してのみ、前記UE固有の制御リソースセットを日和見的に復号するステップとをさらに備える、請求項25に記載の方法。
【請求項２７】
前記構成情報を受信するステップが、マスタ情報ブロック(MIB)を介して前記コミットされた共通制御リソースセットの第1の指示を受信するステップと、無線リソース制御(RRC)信号を介して前記UE固有の制御リソースセットの第2の指示を受信するステップとを備える、請求項25に記載の方法。
【請求項２８】
前記コミットされた共通制御リソースセットのみを介してランダムアクセスチャネル手順の4ステップメッセージ2を復号するステップ、または前記コミットされた共通制御リソースセットもしくは前記UE固有の制御リソースセットのいずれかを介して前記ランダムアクセスチャネル手順の2ステップメッセージ2を復号するステップをさらに備える、請求項25に記載の方法。
【請求項２９】
連続ビームフォーミングが前記UE固有の制御リソースセット向けに構成されたことを前記構成情報が識別し、
前記UE固有の制御リソースセット向けに相連続性が経時的に維持されているかどうかを識別する連続性インジケータを受信するステップと、
前記連続性インジケータに基づいてチャネル推定を実行するときに、推定されたチャネルを経時的にフィルタリングするか、またはフィルタリングしないステップと
をさらに備える、請求項25に記載の方法。
【請求項３０】
物理リソースブロック(PRB)ビームフォーミングが前記UE固有の制御リソースセット向けに構成されたことを前記構成情報が識別し、
前記PRBビームフォーミングに応答してチャネル推定を実行するときに、推定されたチャネルを経時的におよび周波数にわたってフィルタリングするステップ
をさらに備える、請求項25に記載の方法。
【請求項３１】
前記コミットされた共通リソースおよび前記UE固有の制御リソースセットが隣接して位置し、連続ビームフォーミングを受けることを前記構成情報が識別し、
スロット内の前記コミットされた共通リソースと前記UE固有の制御リソースセットとの間で相連続性が維持されているかどうかを識別する連続性インジケータを受信するステップと、
前記連続性インジケータに基づいて、前記スロット内の前記コミットされた共通リソースと前記UE固有の制御リソースセットの両方にわたって単一のチャネル推定を実行するステップ、または前記スロット内の前記コミットされた共通リソースおよび前記UE固有の制御リソースセットの各々に対して別々のチャネル推定を実行するステップと
をさらに備える、請求項25に記載の方法。
【請求項３２】
ワイヤレス通信のためのgNBであって、
トランシーバと、
メモリと、
前記トランシーバおよび前記メモリと通信し、
第1のタイプおよび第2のタイプの共通制御リソースセットを構成することと、
少なくとも前記構成に基づいて、前記第1のタイプおよび前記第2のタイプの共通制御リソースセットをユーザ機器(UE)に示すことと
を行うように構成されたプロセッサと
を備える、gNB。
【請求項３３】
前記第1のタイプの共通制御リソースセットがコミットされた制御リソースであり、前記第2のタイプの共通制御リソースセットが日和見性の共通制御リソースセットである、請求項32に記載のgNB。
【請求項３４】
前記示すことが、少なくとも部分的にマスタ情報ブロック(MIB)を介して少なくとも前記コミットされた共通制御リソースセットと、少なくとも部分的にRMSIを介して前記日和見性の共通制御リソースセットとを示すことを含む、請求項33に記載のgNB。
【請求項３５】
スロットの第1のサブセットおよびスロットの第2のサブセットが相互排他的である、請求項34に記載のgNB。
【請求項３６】
前記プロセッサが、前記コミットされた共通制御リソースセットを常に送信し、前記UE向けの制御情報が存在するときのみ前記日和見性の共通制御リソースセットを日和見的に送信するようにさらに構成される、請求項33に記載のgNB。
【請求項３７】
前記示すことが、RMSIを介して少なくとも前記日和見性の共通制御リソースセットを示すことを含む、請求項33に記載のgNB。
【請求項３８】
前記プロセッサが、前記コミットされた共通制御リソースセットと前記日和見性の共通制御リソースセットの両方を介して、ランダムアクセスチャネル手順のメッセージ2を送信するようにさらに構成される、請求項33に記載のgNB。
【請求項３９】
前記第1のタイプおよび前記第2のタイプの前記共通制御リソースセットを示すことが、時間および周波数において少なくとも部分的に重複するリソースのセットを示すことをさらに備える、請求項32に記載のgNB。
【請求項４０】
前記プロセッサが、スロット内の時間および周波数において少なくとも部分的に重複する前記第1のタイプまたは前記第2のタイプの前記共通制御リソースセットのうちの1つを選択し、前記第1のタイプまたは前記第2のタイプの共通制御リソースセットのうちの前記1つのみを使用して、前記スロット内で前記UEに情報を送信するようにさらに構成される、請求項39に記載のgNB。
【請求項４１】
前記第1のタイプの共通制御リソースセットがコミットされた共通制御リソースセットであり、前記gNBにおいて、UE固有の制御リソースセットである制御リソースセットを構成することをさらに備える、請求項32に記載のgNB。
【請求項４２】
前記プロセッサが、前記コミットされた共通制御リソースセットを常に送信し、前記UE向けの制御情報が存在するときのみ前記UE固有の制御リソースセットを日和見的に送信するようにさらに構成される、請求項41に記載のgNB。
【請求項４３】
前記コミットされた共通制御リソースセットがマスタ情報ブロック(MIB)を介して示され、前記UE固有の制御リソースセットが無線リソース制御(RRC)信号を介して示される、請求項41に記載のgNB。
【請求項４４】
前記プロセッサが、前記コミットされた共通制御リソースセットのみを介してランダムアクセスチャネル手順の4ステップメッセージ2を送信するか、または前記コミットされた共通制御リソースセットもしくは前記UE固有の制御リソースセットのいずれかを介して前記ランダムアクセスチャネル手順の2ステップメッセージ2を送信するようにさらに構成される、請求項41に記載のgNB。
【請求項４５】
前記プロセッサが、ビームフォーミングを使用して送信し、前記ビームフォーミングを使用して送信することに応答して、相連続性が経時的に維持されているかどうかを識別するために、相連続性インジケータを送信するようにさらに構成される、請求項41に記載のgNB。
【請求項４６】
前記プロセッサが、
ビームフォーミングを使用して同じスロット内で前記コミットされた共通リソースと前記UE固有の制御リソースセットの両方を送信することと、
前記コミットされた共通リソースおよび前記UE固有の制御リソースセットが隣接して位置するときに、前記コミットされた共通リソースと前記UE固有の制御リソースセットの両方にわたって、連続ビームフォーミングが使用されるかどうかを識別するためにビームフォーミング連続性インジケータを送信することと
を行うようにさらに構成される、請求項41に記載のgNB。
【請求項４７】
ワイヤレス通信のためのユーザ機器(UE)であって、
トランシーバと、
メモリと、
前記トランシーバおよび前記メモリと通信し、
gNBから第1のタイプおよび第2のタイプの共通制御リソースセットの構成情報を受信することと、
少なくとも前記構成情報に基づいて、前記第1のタイプおよび前記第2のタイプの共通制御リソースセットを復号することと
を行うように構成されたプロセッサと
を備える、UE。
【請求項４８】
前記第1のタイプの前記共通制御リソースセットがコミットされた制御リソースであり、前記第2のタイプの前記共通制御リソースセットが日和見性の共通制御リソースセットである、請求項47に記載のUE。
【請求項４９】
前記構成情報を受信することが、少なくとも部分的にマスタ情報ブロック(MIB)を介して少なくとも前記コミットされた共通制御リソースセットおよび、少なくとも部分的にRMSIを介して前記日和見性の共通制御リソースセット用の構成情報を受信することを備える、請求項48に記載のUE。
【請求項５０】
スロットの第1のサブセットおよびスロットの第2のサブセットが相互排他的である、請求項49に記載のUE。
【請求項５１】
前記プロセッサが、前記コミットされた共通制御リソースセットを常に復号し、前記UE向けの制御情報が存在することを前記構成情報が示すときのみ前記日和見性の共通制御リソースを日和見的に復号するようにさらに構成される、請求項48に記載のUE。
【請求項５２】
前記構成情報を受信することが、RMSIを介して少なくとも前記日和見性の共通制御リソースセット用の前記構成情報を受信することをさらに備える、請求項48に記載のUE。
【請求項５３】
前記プロセッサが、前記コミットされた共通制御リソースセットと前記日和見性の共通制御リソースセットの両方において、ランダムアクセスチャネル手順のメッセージ2を復号するようにさらに構成される、請求項48に記載のUE。
【請求項５４】
前記構成情報が、前記第1のタイプおよび前記第2のタイプの前記共通制御リソースセットが時間および周波数において少なくとも部分的に重複するリソースのセットを備えることを示す、請求項47に記載のUE。
【請求項５５】
前記復号することが、前記構成情報に基づいてスロット内で前記第1のタイプまたは前記第2のタイプの前記共通制御リソースセットのうちの1つのみを復号することをさらに備える、請求項54に記載のUE。
【請求項５６】
前記第1のタイプの共通制御リソースセットがコミットされた共通制御リソースセットであり、前記第2のタイプの共通制御リソースセットがUE固有の制御リソースセットである、請求項47に記載のUE。
【請求項５７】
前記プロセッサが、前記コミットされた共通制御リソースセットを常に復号し、前記構成情報が前記UE固有の制御リソースセットに対応する認可を示すことに応答してのみ、前記UE固有の制御リソースセットを日和見的に復号するようにさらに構成される、請求項56に記載のUE。
【請求項５８】
前記構成情報を受信することが、マスタ情報ブロック(MIB)を介して前記コミットされた共通制御リソースセットの第1の指示を受信することと、無線リソース制御(RRC)信号を介して前記UE固有の制御リソースセットの第2の指示を受信することとを備える、請求項56に記載のUE。
【請求項５９】
前記プロセッサが、前記コミットされた共通制御リソースセットのみを介してランダムアクセスチャネル手順の4ステップメッセージ2を復号するか、または前記コミットされた共通制御リソースセットもしくは前記UE固有の制御リソースセットのいずれかを介して前記ランダムアクセスチャネル手順の2ステップメッセージ2を復号するようにさらに構成される、請求項56に記載のUE。
【請求項６０】
連続ビームフォーミングが前記UE固有の制御リソースセット向けに構成されたことを前記構成情報が識別し、
前記UE固有の制御リソースセット向けに相連続性が経時的に維持されているかどうかを識別する連続性インジケータを受信することと、
前記連続性インジケータに基づいてチャネル推定を実行するときに、推定されたチャネルを経時的にフィルタリングするか、またはフィルタリングしないことと
をさらに備える、請求項56に記載のUE。
【請求項６１】
物理リソースブロック(PRB)ビームフォーミングが前記UE固有の制御リソースセット向けに構成されたことを前記構成情報が識別し、
前記PRBビームフォーミングに応答してチャネル推定を実行するときに、推定されたチャネルを経時的におよび周波数にわたってフィルタリングすること
をさらに備える、請求項56に記載のUE。
【請求項６２】
前記コミットされた共通リソースおよび前記UE固有の制御リソースセットが隣接して位置し、連続ビームフォーミングを受けることを前記構成情報が識別し、
スロット内の前記コミットされた共通リソースと前記UE固有の制御リソースセットとの間で相連続性が維持されているかどうかを識別する連続性インジケータを受信することと、
前記連続性インジケータに基づいて、前記スロット内の前記コミットされた共通リソースと前記UE固有の制御リソースセットの両方にわたって単一のチャネル推定を実行すること、または前記スロット内の前記コミットされた共通リソースおよび前記UE固有の制御リソースセットの各々に対して別々のチャネル推定を実行することと
をさらに備える、請求項56に記載のUE。
【発明の詳細な説明】
【技術分野】
【０００１】
関連出願の相互参照
本特許出願は、本出願の譲受人に譲渡され、その全体が参照により本明細書に組み込まれる、2018年1月11日に出願された「CONFIGURATION OF CONTROL RESOURCES」と題する米国非仮出願第15/868,545号、および2017年1月13日に出願された「Configuration of Control Resources」と題する米国仮出願第62/446,268号の優先権を主張する。
【背景技術】
【０００２】
本開示は、一般に、ワイヤレスネットワーク内のシグナリングに関し、より詳細には、ワイヤレスネットワークにおける制御チャネル設計に関する。
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソース(たとえば、帯域幅、送信電力)を共有することによって複数のユーザとの通信をサポートすることが可能な多元接続技術を採用することができる。そのような多元接続技術の例には、符号分割多元接続(CDMA)システム、広帯域CDMA(W-CDMA)システム、時分割多元接続(TDMA)システム、周波数分割多元接続(FDMA)システム、直交周波数分割多元接続(OFDMA)システム、広帯域シングルキャリア周波数分割多元接続(SC-FDMA)システム、および時分割同期符号分割多元接続(TD-SCDMA)システムが含まれる。
【０００４】
これらの多元接続技術は、様々なワイヤレスデバイスが都市、国家、地域、さらには地球レベルで通信することを可能にする共通プロトコルを提供するために、様々な電気通信規格において採用されている。たとえば、5GのNR(新無線)通信技術は、現行のモバイルネットワーク世代に関する多様な使用シナリオおよび用途を拡大しサポートすることが想定されている。一態様では、5G通信技術は、マルチメディアのコンテンツ、サービス、およびデータにアクセスするための人間中心の使用事例に対処する拡張モバイルブロードバンドと、特に遅延および信頼性に関する要件を有する超高信頼低遅延通信(URLLC)と、非常に多数の接続されたデバイスのための、通常、比較的少量の遅延に敏感でない情報を送信する大容量マシンタイプ通信とを含む。しかしながら、モバイルブロードバンドアクセスに対する需要が増加し続けるにつれて、5G通信技術以降においてさらなる改善が必要である。好ましくは、これらの改善は、他の多元接続技術、およびこれらの技術を採用する電気通信規格に適用可能であるべきである。
【０００５】
5G/NRワイヤレスネットワークでは、ユーザ機器(UE)は、周期的に共通制御リソースセット(または共通リソースセット)を監視しなければならない。共通制御リソースセットの監視は、ダウンリンク送信のデューティサイクルと関連する遅延との間のバランスをとらなければならない。
【０００６】
したがって、5G/NRネットワークにおけるバランスを実現/改善するように共通制御リソースセットを構成する方法および装置に対する要望が存在する。
【発明の概要】
【課題を解決するための手段】
【０００７】
本開示の様々な態様は、1つまたは複数のタイプの共通制御リソースセットを構成するように動作可能なgNBに関する。
【０００８】
一態様では、ワイヤレス通信の方法が開示される。いくつかの態様では、方法は、gNBにおいて、第1のタイプおよび第2のタイプの共通制御リソースセットを構成することと、少なくとも構成に基づいて第1のタイプおよび第2のタイプの共通制御リソースセットをユーザ機器(UE)に示すこととを含んでよい。
【０００９】
別の態様では、ワイヤレス通信のための装置が開示される。装置は、プロセッサと、トランシーバと、プロセッサに結合されたメモリとを含んでよい。メモリは、第1のタイプおよび第2のタイプの共通制御リソースセットを構成することと、少なくとも構成に基づいて第1のタイプおよび第2のタイプの共通制御リソースセットをUEに示すこととを行うように、プロセッサによって実行可能な命令を含んでよい。
【００１０】
別の態様では、ワイヤレス通信のための装置が開示される。装置は、第1のタイプおよび第2のタイプの共通制御リソースセットを構成するための手段と、少なくとも構成に基づいて第1のタイプおよび第2のタイプの共通制御リソースセットをUEに示すための手段とを含んでよい。
【００１１】
さらに別の態様では、ワイヤレス通信のためのコンピュータ実行可能コードを記憶するコンピュータ可読媒体が開示される。コンピュータ可読媒体は、gNBにおいて、第1のタイプおよび第2のタイプの共通制御リソースセットを構成するためのコードと、少なくとも構成に基づいて第1のタイプおよび第2のタイプの共通制御リソースセットをUEに示すためのコードとを含んでよい。
【００１２】
一態様では、UEにおけるワイヤレス通信の方法が開示される。いくつかの態様では、方法は、UEにおいて、gNBから第1のタイプおよび第2のタイプの共通制御リソースセットの構成情報を受信することと、UEにおいて、少なくとも構成情報に基づいて第1のタイプおよび第2のタイプの共通制御リソースセットを復号することとを含んでよい。
【００１３】
別の態様では、ワイヤレス通信のための装置が開示される。装置は、プロセッサと、トランシーバと、プロセッサに結合されたメモリとを含んでよい。メモリは、gNBから第1のタイプおよび第2のタイプの共通制御リソースセットの構成情報を受信することと、少なくとも構成情報に基づいて第1のタイプおよび第2のタイプの共通制御リソースセットを復号することとを行うように、プロセッサによって実行可能な命令を含んでよい。
【００１４】
別の態様では、ワイヤレス通信のための装置が開示される。装置は、gNBから第1のタイプおよび第2のタイプの共通制御リソースセットの構成情報を受信するための手段と、少なくとも構成情報に基づいて第1のタイプおよび第2のタイプの共通制御リソースセットを復号するための手段とを含んでよい。
【００１５】
さらに別の態様では、ワイヤレス通信のためのコンピュータ実行可能コードを記憶するコンピュータ可読媒体が開示される。コンピュータ可読媒体は、gNBから第1のタイプおよび第2のタイプの共通制御リソースセットの構成情報を受信するためのコードと、少なくとも構成情報に基づいて第1のタイプおよび第2のタイプの共通制御リソースセットを復号するためのコードとを含んでよい。
【００１６】
以下の発明を実施するための形態から、装置および方法の他の態様が当業者に容易に明らかになり、装置および方法の様々な態様が例示として示され記載されることが理解される。了解されるように、これらの態様は、他の異なる形態で実装されてよく、そのいくつかの詳細は、様々な他の点での修正が可能である。したがって、図面および発明を実施するための形態は、本質的に例示的と見なされるべきであり、限定的と見なされるべきではない。
【図面の簡単な説明】
【００１７】
【図１】ワイヤレスネットワークにおけるリソース構成機能の態様を有するgNBを含むワイヤレス通信システムの例示的な概略図である。
【図２】例示的な共通制御リソース構成を示す図である。
【図３】本開示の態様における、例示的な共通制御リソース構成を示す図である。
【図４】本開示の態様における、さらなる例示的な共通制御リソース構成を示す図である。
【図５】本開示の態様における、別のさらなる例示的な共通制御リソース構成を示す図である。
【図６】本開示の態様における、gNBにおいて共通制御リソースセットを構成するための例示的な方法のフローチャートである。
【図７】本開示の態様における、UEにおいて共通制御リソースセットを構成するための例示的な方法のフローチャートである。
【発明を実施するための形態】
【００１８】
添付の図面に関して以下に記載される発明を実施するための形態は、様々な構成について説明するものであり、本明細書で説明される概念が実践されてよい構成のみを表すものではない。発明を実施するための形態は、様々な概念の完全な理解を提供にすることを目的として具体的な詳細を含む。しかしながら、これらの概念はこれらの具体的な詳細なしに実践されてよいことが、当業者には明らかであろう。いくつかの事例では、そのような概念を不明瞭にすることを回避するために、よく知られている構成要素はブロック図の形で示されている。
【００１９】
本開示は、gNBにおいて共通制御リソースを構成するための例示的な方法、装置、および/またはコンピュータ可読媒体を提供し、それらは、gNBにおいて、第1のタイプおよび第2のタイプの共通制御リソースセットを構成することと、少なくとも構成に基づいて第1のタイプおよび第2のタイプの共通制御リソースセットをユーザ機器(UE)に示すこととを含んでよい。例示的な方法は、第1のタイプの共通制御リソースセットがコミットされた制御リソースであり、第2のタイプの共通制御リソースセットが日和見性の共通制御リソースセットであることを示すことをさらに含んでよい。コミットされた共通制御リソースは、マスタ情報ブロック(MIB)によって識別されてよい。日和見性の共通制御リソースセットは、残存最小システム情報(RMSI)によって構成されてよい。いくつかの実装形態では、コミットされた制御リソースはコミットされたコアセットと呼ばれる場合があり、日和見性の共通制御リソースセットは日和見性のコアセットと呼ばれる場合がある。さらに、例示的な方法は、第1のタイプの共通制御リソースセットがコミットされた共通制御リソースセットであり、第2のタイプの共通制御リソースセットがUE固有の制御リソースセットであること、およびコミットされた共通制御リソースセットがマスタ情報ブロック(MIB)を介して示され、UE固有の制御リソースセットが無線リソース制御(RRC)信号を介して示されることを示すことを含んでよい。いくつかの態様では、コミットされた共通コアセットは常に現れる(最も高い優先度)。日和見性の共通コアセットは、コミットされた共通コアセットと同じサブバンド内で構成された場合でも、現れない場合がある。いくつかの態様では、UE固有のコアセットはどこでも構成することができ、共通コアセットと(部分的に)重複することができる。
【００２０】
共通制御リソースセットを構成するように本明細書に記載された様々な態様は、gNB120がダウンリンク送信デューティサイクルおよび/または5G/NRネットワーク内の負荷分散を実現/改善することを可能にすることができる。本開示の様々な態様は、共通制御リソースセットの選択的な構成に基づいて、gNB120が電力節約のためにデューティサイクルを選択的に低下させることを可能にすることにより、低デューティサイクルおよび低遅延のためのgNB120に対する相反する要件のバランスをとることができる。加えて、様々な態様は、gNB120が十分に低い遅延時間を可能にするために十分な制御送信機会を有することをさらに可能にすることができる。
【００２１】
図1を参照すると、一態様では、ワイヤレス通信システム100は、gNB120、1つもしくは複数のプロセッサ124、および/または、UE102に共通制御リソース構成142を送信するための、プロセッサ124(もしくは分散コンピューティング環境内のプロセッサ124)上で動作するリソース構成機能126を含む。共通制御リソース構成142は、第1のタイプのリソース144および/または第2のタイプのリソース146を識別することができる。一態様では、gNB120および/またはリソース構成機能126は、共通制御リソース構成機能130および/または共通制御リソース構成指示機能132をさらに含んでよい。gNB120は、無線周波数(RF)トランシーバ134および/またはメモリ136をさらに含む。
【００２２】
ワイヤレス通信システム100は、1つもしくは複数のUE102、1つもしくは複数のプロセッサ104、ならびに/または、ダウンリンク送信を復号するための第1のタイプのリソース144および/もしくは第2のタイプのリソースを示すことができる共通制御リソース構成情報142を受信するための、プロセッサ104(もしくは分散コンピューティング環境内のプロセッサ104)上で動作するリソース構成機能106をさらに含む。一態様では、UE102は、RFトランシーバ114および/またはメモリ116をさらに含んでよい。
【００２３】
gNB120は、1つまたは複数のオーバージエアリンク、たとえば、ダウンリンク(DL)152および/またはアップリンク(UL)154を介して、UE102と通信中の場合がある。一態様では、DL152は、一般に、gNB120からUE102への通信に使用され、UL154は、一般に、UE102からgNB120への通信に使用される。たとえば、gNB120は、ダウンリンク152を介して共通制御リソース構成情報142を送信することができ、かつ/またはアップリンク154を介してUE102から通信を受信することができる。
【００２４】
gNB120は、基地局(BS)またはノードBまたはeノードB、マクロセル、スモールセル(たとえば、フェムトセルまたはピコセル)、リレー、ピアツーピアデバイスなどであってよい。例示的な一態様では、ノードは、IEEE 802.11で定義されたワイヤレスローカルエリアネットワーク(WLAN)仕様に従って動作することができ、かつ/または3GPP仕様で定義された広帯域符号分割多元接続(W-CDMA)規格、符号分割多元接続(CDMA)規格、時分割同期符号分割多元接続(TD-SCDMA)規格、ロングタームエボリューション(LTE)規格、モバイル通信用グローバルシステム(GSM(登録商標))規格、5G(NR)規格に従って動作することができる。
【００２５】
UE102はモバイル装置であってよく、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語で呼ばれる場合もある。
【００２６】
図2は、例示的な共通制御リソース構成200を示す。
【００２７】
図2に示されたように、10個のスロット(スロット0〜9)を有するスロット構造200が示されている。各スロットにおいて、いくつかの実装形態では、gNB120は、各スロット内の共通制御リソースセットとも呼ばれる共通制御リソースセットを構成することができる。たとえば、gNB120は、それぞれ、スロット0〜9内の共通制御リソースセット262、264、266、268、270、272、274、276、278、および/または280を構成することができる。加えて、いくつかの実装形態では、gNB120は、それぞれ、スロット0〜9内のUE固有の制御リソース212、214、216、218、220、222、224、226、228、および/または230を構成することができる。たとえば、UE固有の制御リソースは、UE102に固有であり得る。リソースは、リソースブロック(たとえば、物理リソースブロック(PRB))またはリソース要素またはコアセットとして定義されてよい。
【００２８】
いくつかの実装形態では、gNB120は、UE102にリソース構成情報を送信する。UE102は、リソース構成情報に基づいて、gNB120から受信された制御信号を復号するように試みる。たとえば、場合によっては、UE102は、共通制御リソースセットを周期的に監視して、受信された制御情報、たとえば基準信号(RS)を利用して、無線リンク管理(RLM)を実行し、かつ/または、場合によっては、時間/周波数追跡などの他の機能を支援することができる。加えて、場合によっては、UE102は、共通リソースセットを利用して、初期アクセスの基本機能を支援することができる。しかしながら、gNB120からUE102へのダウンリンク上で送信するためのデータが存在しないときでも、共通制御リソースセットおよびUE固有のリソースはすべてのスロット内で送信され得るので、この構成は効率的でない。たとえば、すべてのスロット内のこの構成は、比較的高いデューティサイクルを有するが、比較的低い遅延をもたらす可能性がある。さらに、gNBがダウンリンク送信のデューティサイクルを削減することを可能にする要望が存在する場合がある。
【００２９】
図3は、本開示の態様における、例示的な共通制御リソース構成300を示す。
【００３０】
一実装形態では、gNB120および/またはリソース構成機能126は、2つのタイプの共通制御リソースセット(または2つのタイプの共通制御リソースセット)、たとえば、(コミットされた共通制御リソースセット144と呼ばれる)第1のタイプの共通制御リソースセット144、および/または(日和見性の共通制御リソースセット146と呼ばれる)第2のタイプの共通制御リソースセット146を定義(または構成)することができる。コミットされた共通制御リソースセット144および/または日和見性の共通制御リソースセット146は、同じ構造、たとえばリソースの同じセット、同じチャネル推定手順などを使用することができる。加えて、gNB120は、マスタ情報ブロック(MIB)を介して、コミットされた共通制御リソースセット144および/または日和見性の共通制御リソースセット146向けに構成された共通制御リソースセットを(UE102に)示すことができ、それはgNB120から物理ブロードキャストチャネル(PBCH)内で送信される。
【００３１】
一実装形態では、gNB120および/またはリソース構成機能126は、スロットのサブセット内のコミットされた共通制御リソースセット144を構成することができる。たとえば、コミットされた共通制御リソースセット144は、図3に示されたように、スロット0(コミットされた共通制御リソースセット312)およびスロット5(コミットされた共通制御リソースセット314)内に構成されてよい。いくつかのオプションの態様では、コミットされた共通制御リソースセット144は、送信するためのデータが存在しない場合でも、構成されたスロット内で送信されてよい。すなわち、そのようなオプションの態様では、コミットされた共通制御リソースセット144は、gNB120がダウンリンク上で送信するためのデータをもたない場合でも、スロット0(コミットされた共通制御リソースセット312)およびスロット5(コミットされた共通制御リソースセット314)内で送信され、UE102は、無線リンク管理(RLM)および他の測定に、スロット0(コミットされた共通制御リソースセット312)およびスロット5(コミットされた共通制御リソースセット314)内で送信されたコミットされた共通制御リソースセット144を使用することができる。
【００３２】
さらなる実装形態では、gNB120および/またはリソース構成機能126は、スロットのサブセット内に日和見性の共通制御リソースセット146を構成することができる。日和見性の共通制御リソースセット146を構成するために使用されるスロットのサブセットは、コミットされた共通制御リソースセット144を構成するために使用されるスロットのサブセットとは異なってよい。たとえば、gNB120および/またはリソース構成機能126は、コミットされた共通制御リソースセット144が構成されていないスロット内に日和見性の共通制御リソースセット146を構成することができる。言い換えれば、たとえば、これに限定されないが、gNB120および/またはリソース構成機能126は、スロット1〜4および6〜9内に日和見性の共通制御リソースセット146(たとえば、それぞれ、日和見性の共通制御リソースセット322、324、326、328、330、332、334、および336)を構成することができる。また、たとえば、場合によっては、コミットされた共通制御リソースセット144として使用されない任意の共通制御リソースセットは、日和見性の共通制御リソースセット146であると考えられてよい。さらに、場合によっては、日和見性の共通制御リソースセット146は、gNB120が送信するダウンリンク制御情報(DCI)を有するときのみ送信されてよい。gNB120がスロット(たとえば、スロット3)内に送信するDCIをもたない場合、gNB120は、その特定のスロット(たとえば、スロット3)内の日和見性の共通制御リソースセット146の送信をスキップすることができ、gNB120は、スロット3の間不連続送信(DTX)状態に入ることができ、その結果、(UE102はそのスロット用の共通リソースの復号を実行する必要がないので)UE102において電力節約が実現され得る。
【００３３】
加えて、コミットされた共通制御リソースセット144と日和見性の共通制御リソースセット146との間の相連続性は、チャネル推定フィルタリングをサポートするために維持されてよく、相連続性は、すべてのスロットの最初のコミットされた共通制御リソースセット144にわたって維持されてよい。さらに、UE102は、日和見性の共通制御リソースセット146内に存在する場合、復調基準信号(DMRS)を日和見的に使用することができる。すなわち、UE102は、日和見性の共通制御リソースセット146内でDMRSが送信されていることを検出し、測定にDMRSを使用することができる。さらに、UE102は、ブラインド検出を実行するUE102の代わりに、日和見性の共通制御リソースセット146を利用できるように構成されたRRCであってよい。これは構成を減速させる可能性があるが、ブラインド検出作業を回避することにより、UE102におけるリソースを節約する。その上、上記のメカニズムは、コミットされた共通制御リソースセット144と日和見性の共通制御リソースセット146の両方において、ランダムアクセスチャネル(RACH)手順のメッセージ2が送信されることを可能にし、それは、ダウンリンク送信における遅延の低減を支援することができる。
【００３４】
5G/NRを実装する様々な態様では、上述されたように、MIBは、残存最小システム情報(RMSI)コアセットと呼ばれる場合があるコミットされた共通制御リソースセット144を示す。一態様では、RMSIコアセットは、RMSIの物理ダウンリンク共有チャネル(PDSCH)リソースの認可を識別する物理ダウンリンク制御チャネル(PDCCH)リソースであってよい。いくつかの態様では、RMSIコアセットは常にRMSI認可を搬送する。さらに、実装形態に応じて、RMSIコアセットは、復調基準信号(DMRS)などの基準信号を含んでもよく、含まなくてもよい。加えて、いくつかの実装形態では、RMSIのPDCCHを搬送するようにコミットされていない任意の共通制御リソースセットは、日和見性の共通制御リソースセット146になることができる。
【００３５】
いくつかの態様では、UE102は、SS/PBCHブロックバーストセットに関連付けられたRMSIのPDCCH監視ウィンドウを有する場合があり、それは周期的に繰り返される。各ウィンドウは、x個の連続するスロット、たとえば、限定はしないが、1つ、2つ、または4つのスロットの持続時間を有してよい。いくつかの実装形態では、gNB120は、監視ウィンドウの持続時間を設定し、PBCCH内の持続時間を示すことができる。いくつかの実装形態では、監視ウィンドウの持続時間は、関連する周波数帯域に依存する場合がある。加えて、監視ウィンドウの期間yは、SS/PBCHブロックバーストセットの期間と同じであっても、異なってもよい。たとえば、yは、限定はしないが、10、20、40、80、または160msであってよい。この周期性は、周波数帯域依存であってよく、PBCCH内でgNB120によって構成されてよい。さらに、場合によっては、期間は、RMSIコアセットの送信時間間隔(TTI)に依存してよい。たとえば、RMSIコアセットのTTIは、限定はしないが、80msまたは160msのうちの1つであってよい。また、いくつかの実装形態では、監視ウィンドウの期間とSS/PBCHブロックバーストセットの期間との間に依存性が存在してよい。いくつかの態様では、gNB120は、様々なSS/PBCHブロックバーストセットに関連付けられた重複する監視ウィンドウを構成することができる。また、場合によっては、監視ウィンドウは時間オフセットに基づいて示されてよい。加えて、いくつかの態様では、UE102用の周波数および時間において、複数の制御リソースセットは重複することができる。
【００３６】
図4は、本開示の態様における、さらなる例示的な共通制御リソース構成400を示す。
【００３７】
一実装形態では、gNB120および/またはリソース構成機能126は、2つのタイプの共通制御リソースセット(または2つのタイプの共通制御リソースセット)、たとえば、(コミットされた共通制御リソースセット144と呼ばれる)第1のタイプの共通制御リソースセット144、および/または(UE固有の制御リソース146と呼ばれる)第2のタイプの共通制御リソースセット146を定義(または構成)することができる。コミットされた共通制御リソースセット144および/またはUE固有の制御リソース146は、同じかまたは異なる構造を有してよい。すなわち、リソースの同じかもしくは異なるセットが使用されてよく、かつ/または同じチャネル推定モード(たとえば、広帯域)もしくは異なるチャネル推定モードが使用されてよい。
【００３８】
一実装形態では、gNB120および/またはリソース構成機能126は、図3を参照して上述されたように、スロットのサブセット内にコミットされた共通制御リソースセット144を構成することができる。たとえば、コミットされた共通制御リソースセット144は、図4に示されたように、スロット0(コミットされた共通制御リソースセット412)およびスロット5(コミットされた共通制御リソースセット414)内に構成されてよい。コミットされた共通制御リソースセット144は、上述されたように、MIBによって示されてよい。コミットされた共通制御リソースセット144は、送信するためのデータが存在しない場合でも、構成されたスロット内で送信されてよい。すなわち、コミットされた共通制御リソースセット144は、gNB120がダウンリンク上で送信するためのデータをもたない場合でも、スロット0(コミットされた共通制御リソースセット412)およびスロット5(コミットされた共通制御リソースセット414)内で送信されてよく、UE102は、無線リンク管理および他の測定に、スロット0およびスロット5内で送信されたコミットされた共通制御リソースセット144を使用することができる。
【００３９】
さらなる実装形態では、gNB120および/またはリソース構成機能126は、少なくともスロットのサブセットもしくはスロットのすべてにおいて、またはコミットされた共通制御リソースセット144によって使用されないスロットにおいて、またはコミットされた共通制御リソースセット144によっても使用されるいくつかのスロットにおいて、UE固有の制御リソース146を構成することができる。たとえば、gNB120および/またはリソース構成機能126は、コミットされた共通制御リソースセット144によって使用されているスロット0および5とは異なるスロットのいくつかのサブセット内に、またはスロット0〜9のすべて(たとえば、それぞれ、UE固有の制御リソース422、424、426、428、430、432、434、436、438、および440)において、UE固有の制御リソース146を構成することができる。UE固有の制御リソース146は、上記で説明されたようにMIBによって、または別の無線リソース制御(RRC)メッセージ内でUE102に示されてよい。さらに、場合によっては、UE固有の制御リソース146は、gNB120が送信するダウンリンク制御情報(DCI)を有するときのみ送信されてよいという点で日和見的である。gNB120がスロット(たとえば、スロット3)内で送信するDCIをもたない場合、gNB120は、その特定のスロット(たとえば、スロット3)内のUE固有の制御リソース146の送信をスキップすることができ、gNB120は、スロット3の間不連続送信(DTX)状態に入ることができ、その結果、(UE102はUEにおいて復号を実行する必要がないので)UE102において電力節約が実現され得る。スロット0および9では、コミットされた共通制御リソースセット144とUE固有の制御リソース146の両方が送信されることも留意されたい。そのようなシナリオでは、コミットされた共通制御リソースセット144およびUE固有の制御リソース146は、異なるサブバンド内で送信されてよい。いくつかの実装形態では、コミットされた共通制御リソースセット144およびUE固有の制御リソース146は、時間および周波数において重複してよい。
【００４０】
加えて、上記のメカニズムは、4ステップのランダムアクセスチャネル(RACH)手順のメッセージ2が、コミットされた共通制御リソースセット144内でのみ送信されることを可能にする。これは、より長いRACH遅延につながる可能性があるが、コミットされた共通制御リソースセット144またはUE固有の制御リソース146のいずれかで、2ステップのRACHメッセージ2/4を送信する際の柔軟性をもたらす。
【００４１】
加えて、いくつかの実装形態では、UE固有の制御リソース146の構成されたセットに対して、(リソースセットの機能として)連続ビームフォーミングが構成された場合、gNB120は、相連続性が経時的に維持されているかどうかを示すために、UE102用のRRC構成内にさらなるフラグを追加することができる。維持されている場合、UE102はさらに、より良いチャネル推定のために、推定されたチャネルを経時的にフィルタリングすることができる。維持されていない場合、UE102は、相がスロットにわたって連続していないことを予想するべきで、フィルタリングするべきではない。一方、PRBごとのビームフォーミングの場合、UE102は、同じスロット内の周波数領域内の異なるPRBに対してビームが異なることを予想し、同じビームがスロットにわたって適用されることを予想するべきではない。
【００４２】
その上、いくつかの実装形態では、コミットされた共通制御リソースセット144およびUE固有の制御リソース146が同じスロット内に構成され、両方とも連続ビームフォーミングを有し、リソースが隣接するとき、UE102がリソースの2つのセット間の連続するビームフォーミングを想定することができるかどうかを示すために、gNB120がUE固有の制御リソース146のRRC構成内に別のフラグを導入することが可能である。連続する場合、UE102は、リソースの両方のセットにわたって単一のチャネル推定を実行することができる。連続しない場合、UE102は、リソースのセットごとに別々のチャネル推定を実行する必要がある。
【００４３】
図5は、本開示の態様における、別のさらなる例示的な共通制御リソース構成500を示す。
【００４４】
本開示のいくつかの態様では、gNB120は、共通制御リソース構成500などの共通制御リソースセットをオーバープロビジョニングするように動作可能であってよい。たとえば、gNB120は、同じスロット内に、かつ重複するPRB内に制御リソース145の異なるセットを構成することができる。たとえば、PRBは部分的に重複しているか、または完全に重複している場合がある。たとえば、図5に示されたように、gNB120は、UE固有の制御リソース146のセットと重複するコミットされた共通制御リソースセット144のセット、または互いに重複するUE固有の制御リソース146の2つのセットなどの、制御リソース145の異なるセットを構成することができる。1つの使用事例では、重複するリソースのセットのうちの1つは、制御チャネルの負荷に応じてどのセットを使用するかをgNB120が選択できるように、別のスーパーセットであってよい。
【００４５】
gNB120の観点から、重複するリソースセットのうちの1つは一度に使用することができる。たとえば、これらに限定はしないが、gNB120がUE固有の制御リソースのセットと重複するように(日和見性の)共通制御リソースセットのセットを構成する場合、gNB120は、別のスロット内でUE固有の制御リソースのセットを使用するように選びながら、選択されたスリット内で共通制御リソースセットのセットを使用するように選ぶことができる。
【００４６】
UE102の観点から、重複するリソースセットは明らかでない場合がある。たとえば、第1の使用事例では、UE102は、重複する制御リソースのセットのうちの1つとプロビジョニングされ、1つまたは複数の異なるUEは、重複する制御リソースのセットのうちの異なる1つとプロビジョニングされる。この場合、UE102は、制御リソースの構成されたセット内でPDCCHを検出するように試みるだけで、そのため、制御リソースの他の重複するセットはUE102に透過的である。言い換えれば、この場合、重複する制御リソースの他のセットがgNB120によって(たとえば、別のUE向けに)使用される場合でも、UE102は、重複する制御リソースの他のセット内でいかなるPDCCHも検出することができない。別の例では、第2の使用事例では、UE102は、重複する制御リソースの2つ以上のセットとプロビジョニングされる。この場合、UE102は、制御リソースのすべての構成されたセット内でPDCCHを検出するように試み、それらのうちの多くとも1つは復号に成功する。さらに、この場合、UE102は、実行されるべきブラインド復号の総数を制限するいくつかの規則を与えられる場合がある。
【００４７】
図6は、本開示の態様における、gNBにおいて共通制御リソースセットを構成するための例示的な方法600を示す。
【００４８】
一態様では、ブロック610において、方法600は、gNBにおいて、第1のタイプおよび第2のタイプの共通制御リソースセットを構成することを含んでよい。たとえば、一態様では、gNB120および/またはリソース構成機能126は、第1のタイプ(たとえば、コミットされた共通制御リソースセット144)および第2のタイプ(日和見性の共通制御リソースセット146またはUE固有の制御リソース146)の共通制御リソースセットを構成するために、特別にプログラムされたプロセッサモジュール、またはメモリに記憶された特別にプログラムされたコードを実行するプロセッサなどの共通制御リソース構成機能130を含んでよい。
【００４９】
一態様では、ブロック620において、方法600は、少なくとも構成に基づいて第1のタイプおよび第2のタイプの共通制御リソースセットをユーザ機器(UE)に示すことを含んでよい。たとえば、一態様では、gNB120および/またはリソース構成機能126は、少なくとも構成(142)に基づいて第1のタイプ(144)および第2のタイプ(146)の共通制御リソースセットをUE102に示すために、特別にプログラムされたプロセッサモジュール、またはメモリに記憶された特別にプログラムされたコードを実行するプロセッサなどの共通制御リソース構成指示機能132を含んでよい。たとえば、gNB120は、MIB内にインジケータを設けることによって示すことを実行することができる。インジケータは、どのスロット内で、復号するための第1のタイプ(144)および第2のタイプ(146)の共通制御リソースセットをUE102が見出すことができるかを識別することができ、gNB120は、スロットの同じかもしくは異なるサブセット内、および/またはそれぞれのスロット内の別々もしくは重複するPRB内にそのようなリソースを構成することができる。たとえば、いくつかの実装形態では、示すことは、MIBを介して指示を送信することにより、唯一のまたは少なくともコミットされた共通制御リソースセットを示すことを含んでよい。たとえば、MIBを介して指示を送信することは、第1のタイプ(144)および第2のタイプ(146)の共通制御リソースセット用の認可された物理ダウンリンク共有チャネル(PDSCH)リソースを識別する物理ダウンリンク制御チャネル(PDCCH)リソースをUEに送信することをさらに含む。
【００５０】
方法600に関するさらなる詳細も上記に詳細に記載されている。
【００５１】
たとえば、いくつかの態様では、示すことは、少なくとも部分的にマスタ情報ブロック(MIB)を介して少なくともコミットされた共通制御リソースセットを示すことを含む。さらに、いくつかの事例では、日和見性の共通制御リソースセットは、コミットされた共通制御リソースセットとして示されていない共通制御リソースセットのいずれかである。また、方法600は、示すことが日和見性の共通制御リソースセット用の任意のダウンリンク構成情報(DCI)を搬送できないとき、日和見性の共通制御リソースセット内で何も送信しないことを含んでよい。
【００５２】
他の態様では、示すことは、スロットのセット内のスロットの第1のサブセット内のコミットされた制御リソース、およびスロットの第2のサブセット内の日和見性の共通制御リソースセットを示す。いくつかの事例では、スロットの第1のサブセットおよびスロットの第2のサブセットは相互排他的である。
【００５３】
いくつかの態様では、方法600は、コミットされた共通制御リソースセットを常に送信することと、UE向けの制御情報が存在するときのみ日和見性の共通制御リソースを日和見的に送信することとをさらに含んでよい。
【００５４】
いくつかの態様では、示すことは、無線リソース制御(RRC)メッセージを介して少なくとも日和見性の共通制御リソースセットを示すことを含む。
【００５５】
また、場合によっては、方法600は、コミットされた共通制御リソースセットと日和見性の共通制御リソースセットの両方を介して、ランダムアクセスチャネル手順のメッセージ2を送信することをさらに含んでよい。
【００５６】
加えて、いくつかの態様では、第1のタイプおよび第2のタイプの共通制御リソースセットを示すことは、時間および周波数において少なくとも部分的に重複するリソースのセットを示すことをさらに備える。いくつかの事例では、方法600は、gNB120がスロット内の時間および周波数において少なくとも部分的に重複する第1のタイプまたは第2のタイプの共通制御リソースセットのうちの1つを選択することと、第1のタイプまたは第2のタイプの共通制御リソースセットのうちの1つのみを使用して、スロット内でUEに情報を送信することとをさらに含んでよい。
【００５７】
さらに、いくつかの態様では、第1のタイプの共通制御リソースセットはコミットされた共通制御リソースセットであり、第2のタイプの共通制御リソースセットはUE固有の制御リソースセットである。この場合、方法600は、gNB120がコミットされた共通制御リソースセットを常に送信することと、UE向けの構成情報が存在するときのみUE固有の制御リソースセットを日和見的に送信することとをさらに含んでよい。また、この場合、コミットされた共通制御リソースセットは、マスタ情報ブロック(MIB)を介して示されてよく、UE固有の制御リソースセットは、無線リソース制御(RRC)信号を介して示されてよい。
【００５８】
加えて、この場合、方法600は、gNB120がUE固有の制御リソースセット上でブロードキャストされるダウンリンク制御情報(DCI)を送信することをさらに含んでよい。
【００５９】
また、いくつかの態様では、方法600は、gNB120がコミットされた共通制御リソースセットのみを介してランダムアクセスチャネル手順の4ステップメッセージ2を送信すること、またはコミットされた共通制御リソースセットもしくはUE固有の制御リソースセットのいずれかを介してランダムアクセスチャネル手順の2ステップメッセージ2を送信することをさらに含んでよい。
【００６０】
他の態様では、方法600はまた、gNB120がビームフォーミングを使用して送信することと、ビームフォーミングを使用して送信することに応答して、相連続性が経時的に維持されているかどうかを識別するために、連続性インジケータ、たとえばフラグを送信することとを含んでよい。場合によっては、方法600はまた、gNB120がビームフォーミングを使用して同じスロット内でコミットされた共通リソースとUE固有の制御リソースセットの両方を送信することと、コミットされた共通リソースおよびUE固有の制御リソースセットが隣接して位置するとき、コミットされた共通リソースとUE固有の制御リソースセットの両方にわたって連続ビームフォーミングが使用されるかどうかを識別するために、ビームフォーミング連続性インジケータ、たとえばフラグを送信することとを含んでよい。
【００６１】
図7は、本開示の態様における、UEにおいて共通制御リソースセットを構成するための例示的な方法700を示す。
【００６２】
一態様では、ブロック710において、方法700は、UEにおいて、gNBから第1のタイプおよび第2のタイプの共通制御リソースセットの構成情報を受信することを含んでよい。たとえば、一態様では、UE102および/またはプロセッサ104は、第1のタイプ(たとえば、コミットされた共通制御リソースセット144)および第2のタイプ(日和見性の共通制御リソースセット146)のgNB120からの構成情報を受信するために、特別にプログラムされたプロセッサモジュール、またはメモリに記憶された特別にプログラムされたコードを実行するプロセッサなどのリソース構成機能106を含んでよい。
【００６３】
一態様では、ブロック720において、方法700は、UEにおいて、少なくとも構成情報に基づいて第1のタイプおよび第2のタイプの共通制御リソースセットを復号することを含んでよい。たとえば、一態様では、UE102および/またはプロセッサ104は、gNB120から受信された構成情報を復号して、構成情報を使用して第1のタイプ(たとえば、コミットされた共通制御リソースセット144)および第2のタイプ(日和見性の共通制御リソースセット146)を識別するために、特別にプログラムされたプロセッサモジュール、またはメモリに記憶された特別にプログラムされたコードを実行するプロセッサなどのリソース構成機能106を含んでよい。
【００６４】
方法700に関するさらなる態様も上記に詳細に記載されている。
【００６５】
たとえば、一態様では、第1のタイプの共通制御リソースセットはコミットされた制御リソースであり、第2のタイプの共通制御リソースセットは日和見性の共通制御リソースセットである。この場合、構成情報を受信することは、少なくとも部分的にマスタ情報ブロック(MIB)を介して少なくともコミットされた共通制御リソースセット用の構成情報を受信することを備える。さらに、いくつかの態様では、日和見性の共通制御リソースセットは、コミットされた共通制御リソースセットとして示されていない共通制御リソースセットのいずれかである。また、方法700は、構成情報が日和見性の共通制御リソースセット用の任意のダウンリンク構成情報(DCI)を搬送できないとき、UE102が日和見性の共通制御リソースセットの復号をスキップすることをさらに含んでよい。
【００６６】
他の態様では、構成情報は、スロットのセット内のスロットの第1のサブセット内のコミットされた制御リソース、およびスロットの第2のサブセット内の日和見性の共通制御リソースセットを示す。この場合、スロットの第1のサブセットおよびスロットの第2のサブセットは相互排他的であってよい。
【００６７】
さらに、いくつかの態様では、方法700は、UE102がコミットされた共通制御リソースセットを常に復号することと、構成情報がUE向けの制御情報が存在することを示すときのみ日和見性の共通制御リソースを日和見的に復号することとをさらに含んでよい。
【００６８】
また、いくつかの事例では、方法700は、UE102が無線リソース制御(RRC)メッセージを介して少なくとも日和見性の共通制御リソースセット用の構成情報を受信することをさらに含んでよい。
【００６９】
加えて、いくつかの態様では、方法700は、UE102がコミットされた共通制御リソースセットと日和見性の共通制御リソースセットの両方において、ランダムアクセスチャネル手順のメッセージ2を復号することをさらに含んでよい。
【００７０】
その上、いくつかの事例では、方法700は、第1のタイプおよび第2のタイプの共通制御リソースセットが時間および周波数において少なくとも部分的に重複するリソースのセットを備えることを示す構成情報をUE102が受信することをさらに含んでよい。この場合、いくつかの事例では、方法700は、UE102が構成情報に基づいてスロット内で第1のタイプまたは第2のタイプの共通制御リソースセットのうちの1つのみを復号することをさらに含んでよい。
【００７１】
さらに、方法700のいくつかの態様では、第1のタイプの共通制御リソースセットはコミットされた共通制御リソースセットであり、第2のタイプの共通制御リソースセットはUE固有の制御リソースセットである。この場合、いくつかの事例では、方法700は、UE102がコミットされた共通制御リソースセットを常に復号することと、構成情報がUE固有の制御リソースセットに対応する認可を示すことに応答してのみ、UE固有の制御リソースセットを日和見的に復号することとをさらに含んでよい。
【００７２】
方法700のいくつかの態様では、構成情報を受信することは、マスタ情報ブロック(MIB)を介してコミットされた共通制御リソースセットの第1の指示を受信することと、無線リソース制御(RRC)信号を介してUE固有の制御リソースセットの第2の指示を受信することとを備える。
【００７３】
加えて、場合によっては、方法700は、UE102がUE固有の制御リソースセット上でブロードキャストされるダウンリンク制御情報(DCI)を復号することをさらに含んでよい。また、方法700は、UE102がコミットされた共通制御リソースセットのみを介してランダムアクセスチャネル手順の4ステップメッセージ2を復号すること、またはコミットされた共通制御リソースセットもしくはUE固有の制御リソースセットのいずれかを介してランダムアクセスチャネル手順の2ステップメッセージ2を復号することをさらに含んでよい。
【００７４】
さらに、連続ビームフォーミングがUE固有の制御リソースセット向けに構成されたことを構成情報が識別する態様では、方法700は、相連続性がUE固有の制御リソースセット向けに経時的に維持されているかどうかを識別する連続性インジケータをUE102が受信することと、連続性インジケータに基づいてチャネル推定を実行するときに経時的に推定されたチャネルに対してフィルタリングすることまたはフィルタリングしないこととをさらに含んでよい。
【００７５】
その上、物理リソースブロック(PRB)ビームフォーミングがUE固有の制御リソースセット向けに構成されたことを構成情報が識別する態様では、方法700は、UE102がPRBビームフォーミングに応答してチャネル推定を実行するときに時間および周波数にわたって推定されたチャネルをフィルタリングすることをさらに含んでよい。
【００７６】
また、コミットされた共通リソースおよびUE固有の制御リソースセットが隣接して位置し、連続ビームフォーミングを受けることを構成情報が識別する場合、方法700は、スロット内のコミットされた共通リソースとUE固有の制御リソースセットとの間で相連続性が維持されているかどうかを識別する連続性インジケータをUE102が受信することと、連続性インジケータに基づいて、スロット内のコミットされた共通リソースとUE固有の制御リソースセットの両方にわたって単一のチャネル推定を実行すること、またはスロット内のコミットされた共通リソースおよびUE固有の制御リソースセットの各々に対して別々のチャネル推定を実行することとをさらに含んでよい。
【００７７】
こうして、上述されたように、gNB120は、UE102において電力節約を実現するための共通制御リソースセットを構成することができる。
【００７８】
本出願で使用される「機能」、「プロセス」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものである。たとえば、モジュールは、限定はしないが、プロセッサ上で動作するプロセス、プロセッサ、オブジェクト、実行ファイル、実行スレッド、プログラム、および/またはコンピュータであってよい。例として、コンピューティングデバイス上で動作するアプリケーションとコンピューティングデバイスの両方がプロセスであり得る。1つまたは複数のモジュールは、モジュールおよび/または実行スレッド内に存在することができ、モジュールは、1つのコンピュータ上に局在化され、かつ/または2つ以上のコンピュータ間で分散されてよい。加えて、これらのモジュールは、様々なデータ構造を記憶している様々なコンピュータ可読媒体から実行することができる。プロセスは、ローカルシステム内の、分散システム内の、および/または、インターネットなどのネットワークにわたる別のモジュールと対話する1つのモジュールからのデータなどの、1つまたは複数のデータパケットを有する信号などに従うローカルモジュールおよび/またはリモートモジュールによって、信号を介して他のシステムと通信することができる。
【００７９】
さらに、有線端末またはワイヤレス端末であり得る端末に関して、様々な態様が本明細書に記載されている。端末はまた、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ぶことができる。ワイヤレス端末は、携帯電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであってよい。さらに、基地局に関して、様々な態様が本明細書に記載されている。基地局は、ワイヤレス端末と通信するために利用されてよく、アクセスポイント、ノードB、または他の何らかの用語で呼ばれてもよい。
【００８０】
当業者が容易に諒解するように、本開示全体にわたって記載された様々な態様は、他の電気通信システム、ネットワークアーキテクチャ、および通信規格に拡張されてよい。
【００８１】
例として、RACHプリアンブル送信に関連して本明細書に記載された様々な態様は、他のUMTSおよび/もしくはLTE、ならびに/または(たとえば、順方向アクセスチャネル(CELL_FACH)状態の間に)専用チャネルを確立することに適していない、送信する爆発的なデータをUEが有する他のシステムに拡張されてよい。たとえば、そのようなUMTSシステムは、TD-SCDMA、高速ダウンリンクパケットアクセス(HSDPA)、高速アップリンクパケットアクセス(HSUPA)、高速パケットアクセスプラス(HSPA+)、およびTD-CDMAを含んでよい。また、そのようなLTEおよび/または他のシステムは、(FDD、TDD、または両方のモードの)ロングタームエボリューション(LTE)、(FDD、TDD、または両方のモードの)LTEアドバンスト(LTE-A)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、超広帯域(UWB)、Bluetooth(登録商標)、および/または他の適切なシステムを含んでよい。採用される実際の電気通信規格、ネットワークアーキテクチャ、および/または通信規格は、具体的な用途およびシステムに課される全体的な設計制約に依存する。
【００８２】
本開示の様々な態様によれば、要素または要素の任意の部分または要素の任意の組合せは、1つまたは複数のプロセッサを含む「処理システム」を用いて実装されてよい。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって記載された様々な機能を実行するように構成された他の適切なハードウェアが含まれる。処理システム内の1つまたは複数のプロセッサはソフトウェアを実行することができる。ソフトウェアは、ソフトウェア、ファームウェア、ミドルウェア、マイクロコード、ハードウェア記述言語などと呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。ソフトウェアはコンピュータ可読媒体上に存在してよい。コンピュータ可読媒体は非一時的コンピュータ可読媒体であってよい。非一時的コンピュータ可読媒体には、例として、磁気ストレージデバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータがアクセスし、読み取ることができるソフトウェアおよび/または命令を記憶するための任意の他の適切な媒体が含まれる。コンピュータ可読媒体は、処理システム内に存在してもよく、処理システムの外部にあってもよく、または処理システムを含む複数のエンティティにわたって分散されてもよい。コンピュータ可読媒体は、コンピュータプログラム製品において具現化されてよい。例として、コンピュータプログラム製品は、パッケージング材料内のコンピュータ可読媒体を含んでよい。特定の用途およびシステム全体に課された全体的な設計制約に応じて、本開示全体にわたって提示された記載機能をどのように実装するのが最良であるかを、当業者は認識されよう。
【００８３】
開示された方法におけるステップの特定の順序または階層は例示的なプロセスの説明であることを理解されたい。設計上の選好に基づいて、方法におけるステップの特定の順序または階層が並べ替えられてよいことが理解される。添付の方法クレームは、サンプルの順序で様々なステップの要素を提示しており、その中に特に列挙されていない限り、提示された特定の順序または階層に限定されるものではない。
【００８４】
前述の説明は、いかなる当業者も、本明細書に記載された様々な態様を実践することが可能になるように提供される。これらの態様に対する様々な修正が当業者には容易に明らかになり、本明細書に規定された一般原理は他の態様に適用されてよい。したがって、特許請求の範囲は、本明細書に示された態様に限定されるものではなく、特許請求の範囲の文言と一致するすべての範囲が与えられるべきであり、単数の要素への言及は、そのように明記されていない限り、「唯一無二」を意味するものではなく、むしろ「1つまたは複数」を意味するものである。別段に明記されていない限り、「いくつかの」という用語は1つまたは複数を指す。項目のリストのうちの「少なくとも1つ」を指すフレーズは、単一のメンバを含むそれらの項目の任意の組合せを指す。一例として、「a、b、またはcのうちの少なくとも1つ」は、a、b、c、aおよびb、aおよびc、bおよびc、ならびにa、b、およびcを包含するものである。当業者に知られているか、または後に知られることになる、本開示全体にわたって記載された様々な態様の要素に対するすべての構造的および機能的な均等物は、参照によって本明細書に明白に組み込まれ、特許請求の範囲によって包含されるものである。その上、本明細書で開示されたものは、そのような開示が特許請求の範囲において明示的に列挙されているかどうかにかかわらず、公に供されるものではない。請求項のどの要素も、その要素が、「〜ための手段」というフレーズを用いて明確に列挙されない限り、または方法クレームの場合、その要素が、「〜ためのステップ」というフレーズを用いて列挙されない限り、米国特許法第112(f)の規定の下で解釈されるべきではない。
【符号の説明】
【００８５】
100  ワイヤレス通信システム
102  UE
104  プロセッサ
106  リソース構成機能
114  無線周波数(RF)トランシーバ
116  メモリ
120  gNB
124  プロセッサ
126  リソース構成機能
130  共通制御リソース構成機能
132  共通制御リソース構成指示機能
134  無線周波数(RF)トランシーバ
136  メモリ
142  共通制御リソース構成
144  第1のタイプのリソース
144  コミットされた共通制御リソースセット
145  異なるセットの制御リソース
146  第2のタイプのリソース
146  日和見性の共通制御リソースセット
146  UE固有の制御リソース
152  ダウンリンク(DL)
154  アップリンク(UL)
200  スロット構造
212  UE固有の制御リソース
214  UE固有の制御リソース
216  UE固有の制御リソース
218  UE固有の制御リソース
220  UE固有の制御リソース
222  UE固有の制御リソース
224  UE固有の制御リソース
226  UE固有の制御リソース
228  UE固有の制御リソース
230  UE固有の制御リソース
262  共通制御リソースセット
264  共通制御リソースセット
266  共通制御リソースセット
268  共通制御リソースセット
270  共通制御リソースセット
272  共通制御リソースセット
274  共通制御リソースセット
276  共通制御リソースセット
278  共通制御リソースセット
280  共通制御リソースセット
300  共通制御リソース構成
312  コミットされた共通制御リソースセット
314  コミットされた共通制御リソースセット
322  日和見性の共通制御リソースセット
324  日和見性の共通制御リソースセット
326  日和見性の共通制御リソースセット
328  日和見性の共通制御リソースセット
330  日和見性の共通制御リソースセット
332  日和見性の共通制御リソースセット
334  日和見性の共通制御リソースセット
336  日和見性の共通制御リソースセット
400  共通制御リソース構成
412  コミットされた共通制御リソースセット
414  コミットされた共通制御リソースセット
422  UE固有の制御リソース
424  UE固有の制御リソース
426  UE固有の制御リソース
428  UE固有の制御リソース
430  UE固有の制御リソース
432  UE固有の制御リソース
434  UE固有の制御リソース
436  UE固有の制御リソース
438  UE固有の制御リソース
440  UE固有の制御リソース
500  共通制御リソース構成
600  方法
610  ブロック
620  ブロック
700  方法
710  ブロック
720  ブロック
【図１】
2020505822.tif 000003
【図２】
2020505822.tif 000004
【図３】
2020505822.tif 000005
【図４】
2020505822.tif 000006
【図５】
2020505822.tif 000007
【図６】
2020505822.tif 000008
【図７】
2020505822.tif 000009
【国際調査報告】
2020505822.tif 000010
2020505822.tif 000011
2020505822.tif 000012
2020505822.tif 000013